(57)【要約】【課題】ユーザの直感的な操作が可能であり、操作性のよい操作装置を提供する。【解決手段】同心円状に設けられた３つの円において、中央の円形領域に設定温度表示部が設けられ、円形領域に隣り合う内側の円弧形領域に設定温度受付部が設けられている。また外側の円弧形領域に設定風量表示部及び設定風量受付部が一体的に設けられている。設定温度受付部は、内側の円弧形領域における検知領域に対するユーザの操作を検知し、ユーザの操作に基づく設定温度を特定する。設定風量受付部は、外側の円弧形領域における検知領域に対するユーザの操作を検知し、ユーザの操作に基づく設定風量を特定する。【選択図】図２
2015182499.tif 000002
【特許請求の範囲】
【請求項１】
車載装置の制御に係る設定項目に対する設定値の設定操作を受け付ける操作装置において、
前記設定項目に対する設定値を表示する表示部と、
該表示部を取り囲むように設けられた検知領域に対して接触した状態で移動する移動操作を検知する検知部と、
該検知部が検知した移動操作に応じた設定値を特定する特定部と、
該特定部が特定した設定値を前記表示部に表示させる表示制御部と
を備えることを特徴とする操作装置。
【請求項２】
前記検知領域を取り囲むように設けられた外側検知領域に対する接触操作を検知する外側検知部を更に備え、
前記特定部は、前記外側検知部が検知した接触操作に応じて、前記設定項目とは異なる設定項目に対する設定値を特定するようにしてあること
を特徴とする請求項１に記載の操作装置。
【請求項３】
前記表示部の表示領域及び前記検知領域は、同心円状に設けてあること
を特徴とする請求項１又は２に記載の操作装置。
【請求項４】
前記表示部は、車輌に搭載された空調装置に対する設定温度を表示するようにしてあり、
前記特定部は、前記検知部が検知した移動操作に応じて前記設定温度を特定し、前記外側検知部が検知した接触操作に応じて、前記空調装置に対する設定風量を特定するようにしてあること
を特徴とする請求項２に記載の操作装置。
【発明の詳細な説明】
【技術分野】
【０００１】
本発明は、車載機器に対するユーザの操作を受け付ける操作装置に関する。
【背景技術】
【０００２】
車輌にはエアーコンディショナー（以下、エアコンという）及びオーディオ装置等の種々の電気機器が搭載されている。これらの機器を操作するためのスイッチ及びボタン等を有する操作パネルが、車輌のインストルメントパネル等の運転席近傍に配設されている（例えば特許文献１参照）。また近年、車輌に搭載される機器の増加及び各機器の多機能化に伴ってより多くのスイッチ等が必要となっており、車輌内の限られたスペースに配設可能なタッチパネル方式の操作パネルが車輌に搭載されつつある。
【先行技術文献】
【特許文献】
【０００３】
【特許文献１】特開２００７−２６１３３５号公報
【発明の概要】
【発明が解決しようとする課題】
【０００４】
しかしながら、タッチパネル方式の操作パネルであってもスイッチ等の数が増加した場合、操作すべきスイッチを探すために操作パネルを注視する必要があり、スイッチを探す時間を要するので、操作性が悪化するという問題がある。
また車輌には、電気機器に対して設定された設定値を表示する表示部が操作パネルとは異なる位置に設けてある。例えばエアコンに対して設定された温度又は風量を表示する表示部が設けてある。よって、ユーザは表示部の表示内容にて電気機器に対する設定値を確認しつつ、操作すべきスイッチを探して操作する必要があり、直感的な操作を行うことは難しいという問題がある。
【０００５】
本発明は、斯かる事情に鑑みてなされたものである。そして、その目的とするところは、ユーザの直感的な操作が可能であり、操作性の向上が可能な操作装置を提供することにある。
【課題を解決するための手段】
【０００６】
本発明に係る操作装置は、車載装置の制御に係る設定項目に対する設定値の設定操作を受け付ける操作装置において、前記設定項目に対する設定値を表示する表示部と、該表示部を取り囲むように設けられた検知領域に対して接触した状態で移動する移動操作を検知する検知部と、該検知部が検知した移動操作に応じた設定値を特定する特定部と、該特定部が特定した設定値を前記表示部に表示させる表示制御部とを備えることを特徴とする。
【０００７】
本発明によれば、設定項目に対する設定値を表示する表示部を取り囲むように、設定値を受け付けるための検知領域が設けてある。操作装置は、検知領域に対して接触した状態で移動する移動操作に応じた設定値を、設定項目に対する設定値として受け付ける。ユーザが操作を行う検知領域が、設定値を表示する表示部を取り囲むように設けてあるので、操作領域（検知領域）と表示部との関係が直感的に分かり易く操作性がよい。また、表示部を取り囲むように操作領域が設けられてもデザイン性が損なわれず、表示部に対する視認性も損なわれない。更に、検知領域に対する移動操作によって設定値が入力されるので、ユーザの直感的な操作が可能となる。
【０００８】
本発明に係る操作装置は、前記検知領域を取り囲むように設けられた外側検知領域に対する接触操作を検知する外側検知部を更に備え、前記特定部は、前記外側検知部が検知した接触操作に応じて、前記設定項目とは異なる設定項目に対する設定値を特定するようにしてあることを特徴とする。
【０００９】
本発明によれば、検知領域を取り囲むように外側検知領域が設けてあり、操作装置は、検知領域に対する移動操作に応じた設定値と、外側検知領域に対する接触操作に応じた設定値とをそれぞれ異なる設定項目に対する設定値として受け付ける。よって、複数の検知領域に対して移動操作又は接触操作を行うことによってそれぞれの設定項目に対する設定値の入力が可能となる。
【００１０】
本発明に係る操作装置は、前記表示部の表示領域及び前記検知領域は、同心円状に設けてあることを特徴とする。
【００１１】
本発明によれば、設定値を表示する表示領域と、設定値の入力を行う操作領域（検知領域）とが同心円状に設けてある。よって、操作領域に対して例えば円弧状の移動操作が行われることによって設定値の入力が可能となる。
【００１２】
本発明に係る操作装置は、前記表示部は、車輌に搭載された空調装置に対する設定温度を表示するようにしてあり、前記特定部は、前記検知部が検知した移動操作に応じて前記設定温度を特定し、前記外側検知部が検知した接触操作に応じて、前記空調装置に対する設定風量を特定するようにしてあることを特徴とする。
【００１３】
本発明によれば、空調装置に対する設定温度を表示する表示部を取り囲むように、設定温度を受け付ける操作領域（検知領域）が設けてあり、この操作領域を取り囲むように、空調装置に対する設定風量を受け付ける操作領域（外側検知領域）が設けてある。よって、車輌に搭載された空調装置に対する操作を受け付ける操作装置の操作性の向上が可能である。
【発明の効果】
【００１４】
本発明では、ユーザが、操作すべき操作領域（例えば操作スイッチ）を容易に探し出すことができ、操作性がよく、直感的な操作が可能な操作装置を実現できる。
【図面の簡単な説明】
【００１５】
【図１】実施形態１に係る操作装置の構成を示すブロック図である。
【図２】実施形態１の操作部及び表示部の外観を示す模式図である。
【図３】実施形態１の操作装置に対する操作方法の例を示す模式図である。
【図４】実施形態１の操作装置に対する操作方法の他の例を示す模式図である。
【図５】実施形態１の操作装置に対する操作方法の他の例を示す模式図である。
【図６】実施形態１の操作装置に対する操作方法の他の例を示す模式図である。
【図７】実施形態１の操作装置が行う処理の手順を示すフローチャートである。
【図８】実施形態１の操作装置に対する操作方法の更に他の例を示す模式図である。
【図９】実施形態２の操作部及び表示部の外観を示す模式図である。
【発明を実施するための形態】
【００１６】
以下、本発明に係る操作装置について、その実施形態を示す図面に基づいて詳述する。以下では、本発明に係る操作装置を車輌に搭載されたエアコン（空調装置）を操作するための操作装置に適用した実施形態について説明するが、一例であってこれに限るものではない。
【００１７】
（実施形態１）
図１は、実施形態１に係る操作装置の構成を示すブロック図である。本実施形態１の操作装置１は、例えば車輌のインストルメントパネルのように運転席に座る運転者にて操作可能な位置に設けてある。また操作装置１は、車輌内に敷設された通信線Ｌ１を介して、車輌に搭載された各種の車載機器を制御するＥＣＵ（Electronic Control Unit）３に接続してある。またＥＣＵ３には例えば、通信線Ｌ２を介して、車輌の適宜箇所に設置されたエアコン２が接続してある。なお、通信線Ｌ１には、操作装置１及びＥＣＵ３以外の車載機器が接続されていてもよく、通信線Ｌ２には、ＥＣＵ３及びエアコン２以外の車載機器が接続されていてもよい。操作装置１及びＥＣＵ３は、通信線Ｌ１を介して相互に通信可能であり、ＥＣＵ３及びエアコン２は、通信線Ｌ２を介して相互に通信可能である。また、通信線Ｌ１，Ｌ２を介した通信は、例えばＣＡＮ（Controller Area Network）又はＬＩＮ（Local Interconnect Network）等の通信規格に基づいて行われる。なお、操作装置１、エアコン２及びＥＣＵ３が同一の通信線に接続されている構成でもよい。
【００１８】
操作装置１は、制御部１０、記憶部１１、操作部１２、表示部１３、通信部１４等を有する。
制御部１０は、ＣＰＵ（Central Processing Unit ）又はＭＰＵ（Micro Processor Unit）等である。制御部１０は、記憶部１１に記憶してある制御プログラムを適宜読み出して実行することにより種々の処理を行うと共に、操作装置１の各部の動作を制御する。記憶部１１は、ＥＥＰＲＯＭ（Electrically Erasable Programmable Read Only Memory）又はフラッシュメモリ等である。記憶部１１は、制御部１０が実行すべき制御プログラム、各種データ、制御部１０による制御プログラムの実行時に発生する種々のデータ等を記憶する。
【００１９】
通信部１４は、通信線Ｌ１に接続するための通信インタフェースであり、通信線Ｌ１に接続されたＥＣＵ３及びその他の車載機器との間で、通信線Ｌ１を介した通信を行う。具体的には、通信部１４は、制御部１０から与えられた情報をＥＣＵ３へ送信する処理、ＥＣＵ３から送信された情報を受信する処理等を行う。通信部１４は、通信線Ｌ１を介して情報を受信した場合、受信した情報を制御部１０へ送出する。
【００２０】
表示部１３は、制御部（表示制御部）１０からの指示に従って各種情報を表示する。本実施形態１では、表示部１３は、エアコン２の空調条件（設定項目）に対して設定された設定値（設定情報）を表示する。具体的には、表示部１３は、エアコン２の設定温度を表示するための設定温度表示部１３ａ及びエアコン２の設定風量を表示するための設定風量表示部１３ｂを有する。なお、設定温度表示部１３ａ及び設定風量表示部１３ｂだけでなく、その他の設定項目に対する設定値及びエアコン２の動作状態等を表示するための表示部が設けられていてもよい。
【００２１】
操作部１２は、エアコン２の空調条件（設定項目）に対する設定値（設定情報）の設定操作を受け付け、受け付けた設定値を制御部１０へ送出する。具体的には、操作部１２は、エアコン２に対する設定温度を受け付ける設定温度受付部１２ａ及びエアコン２に対する設定風量を受け付ける設定風量受付部１２ｂを有する。なお、設定温度受付部１２ａ及び設定風量受付部１２ｂだけでなく、その他の設定項目に対する設定値を受け付ける受付部が設けられていてもよい。
【００２２】
図２は、実施形態１の操作部１２及び表示部１３の外観を示す模式図である。図２に示す例では、３つの円が同心円状に配置してあり、中央の円形領域が設定温度表示部１３ａに相当する。設定温度表示部１３ａは、例えば、円形領域内に設けられた３つの７セグメントディスプレイを有し、設定温度受付部１２ａを介して設定された温度を７セグメントディスプレイにて表示する。図２では設定温度表示部１３ａは２７．５℃を表示している。
【００２３】
円形領域に隣り合う円弧形領域（以下、内側円弧領域という）は設定温度受付部１２ａに相当する。設定温度受付部１２ａは、静電容量方式、抵抗膜方式又は電磁誘導方式等のタッチセンサを有し、タッチセンサにて内側円弧領域に対するユーザの操作を検知する。図２に示す例では、内側円弧領域内の下位置に、設定温度受付部１２ａであることを示す目印として「ＴＥＭＰ」が付けてある。また、内側円弧領域において、「ＴＥＭＰ」の左側に最低温度を示す目印「Ｌｏ」が付けてあり、右側に最高温度を示す目印「Ｈｉ」が付けてあり、上位置に２５℃を示す目印「２５」が付けてある。内側円弧領域において「Ｌｏ」の位置から時計回りに「Ｈｉ」の位置までの領域がユーザによる操作の検知領域となっており、設定温度受付部（検知部）１２ａは、この検知領域に対するユーザの接触操作（タッチ操作）及び移動操作（スライド操作）を検知する。
【００２４】
なお、本実施形態１では、設定温度受付部１２ａ（検知領域）に対して接触操作及び移動操作を行う操作体をユーザの指を例に説明するが、ユーザの指に限定されない。また、接触操作とは、ユーザの指が設定温度受付部１２ａに接触した後に設定温度受付部１２ａから離れる操作であり、移動操作とは、ユーザの指が設定温度受付部１２ａに接触した状態で検知領域（設定温度受付部１２ａ）に沿って時計回り又は反時計回りに移動（スライド）した後に設定温度受付部１２ａから離れる操作である。
【００２５】
設定温度受付部１２ａは、検知領域に対してユーザの指が接触したか否かを検出し、ユーザの指が検知領域に接触した場合、検知領域に対する接触位置（以下、操作位置という）を算出する。なお、操作位置は、例えば、検知領域において「Ｌｏ」の位置からの距離、又は「Ｈｉ」の位置からの距離で示すことができる。設定温度受付部１２ａは、ユーザの指が検知領域から離れたか否かを検出し、ユーザの指が離れるまでの間、所定時間間隔（例えば、数１０ｍ秒、数１００ｍ秒毎）で操作位置を算出する。設定温度受付部（特定部）１２ａは、順次算出する操作位置に基づいて、ユーザの操作に応じた設定温度（設定値）を特定する。なお、設定温度受付部１２ａによる設定温度の特定方法については後述する。設定温度受付部１２ａは、特定した設定温度を制御部１０へ送出し、制御部１０は、設定温度表示部１３ａを制御して、設定温度受付部１２ａから取得した設定温度を表示させる。
【００２６】
最外側の円弧形領域（以下、外側円弧領域という）は設定風量表示部１３ｂ及び設定風量受付部１２ｂに相当する。図２に示す例では、外側円弧領域内の下位置に、設定風量受付部１２ｂ及び設定風量表示部１３ｂであることを示す目印として風量マークが付けてある。また、外側円弧領域において、風量マークの左側に風量が弱い（風量を弱める）ことを示す目印「−」が付けてあり、右側に風量が強い（風量を強める）ことを示す目印「＋」が付けてある。外側円弧領域において「−」の位置から時計回りに「＋」の位置までの領域が設定風量表示部１３ｂにおける表示領域及び設定風量受付部１２ｂにおける検知領域となっている。
【００２７】
図２に示す例では、設定風量表示部１３ｂは、表示領域を７つに分割した各分割領域の形状に穿設された導光孔を有する板部、及び板部の背面側に設けられ、各導光孔に対向配置された７つの光源等を有する。光源は例えばＬＥＤ（Light Emitting Diode）が用いられる。設定風量表示部１３ｂは、制御部１０からの指示に従って、各光源を点灯／消灯させることにより、各導光孔を通過した光源からの光にて、設定風量受付部１２ｂを介して設定された風量を表示する。設定風量表示部１３ｂにおいて、全ての光源が消灯状態である場合はエアコン２が停止状態であることを示し、「−」側の１つの光源が点灯状態である場合は、設定風量が第１段階であることを示す。また、「−」側から点灯する光源が１つ増える毎に１段階強い風量が設定されていることを示す。図２では第２段階の風量が設定されている状態を示している。なお、設定風量表示部１３ｂは、各光源の点灯／消灯にて設定風量を表示する構成に限らず、設定風量に対応する領域と残りの領域とが異なる表示態様となる構成であればよい。例えば設定風量表示部１３ｂがタッチパネルにて実現され、設定風量に対応する領域と残りの領域とに異なる色が表示される構成でもよい。
【００２８】
設定風量受付部１２ｂは、設定温度受付部１２ａと同様にタッチセンサを有し、タッチセンサは、設定風量表示部１３ｂの表示面側（導光孔を有する板部の前面側）に設けられている。設定風量受付部（検知部）１２ｂは、外側円弧領域における検知領域に対するユーザの接触操作（タッチ操作）及び移動操作（スライド操作）を検知する。
具体的には、設定風量受付部１２ｂは、検知領域に対してユーザの指が接触したか否かを検出し、ユーザの指が検知領域に接触した場合、検知領域に対する接触位置（操作位置）を算出する。なお、設定風量受付部１２ｂにおける操作位置は、例えば、検知領域において「−」の位置からの距離、又は「＋」の位置からの距離で示すことができる。また設定風量表示部１３ｂの表示領域における分割領域を用い、設定風量受付部１２ｂにおける操作位置を含む分割領域にて操作位置を示してもよい。設定風量受付部１２ｂは、ユーザの指が検知領域から離れたか否かを検出し、ユーザの指が離れるまでの間、所定時間間隔（例えば、数１０ｍ秒、数１００ｍ秒毎）で操作位置を算出する。設定風量受付部（特定部）１２ｂは、順次算出する操作位置に基づいて、ユーザの操作に応じた設定風量（設定値）を特定する。なお、設定風量受付部１２ｂによる設定風量の特定方法については後述する。設定風量受付部１２ｂは、特定した設定風量を制御部１０へ送出し、制御部１０は、設定風量表示部１３ｂを制御して、設定風量受付部１２ｂから取得した設定風量を表示させる。
【００２９】
本実施形態１の操作装置１では、設定温度受付部１２ａが、内側円弧領域における検知領域に対するユーザの操作に基づいて設定温度を特定し、設定風量受付部１２ｂが、外側円弧領域における検知領域に対するユーザの操作に基づいて設定風量を特定する。このような構成のほかに、設定温度受付部１２ａが算出した操作位置に基づく設定温度の特定処理、設定風量受付部１２ｂが算出した操作位置に基づく設定風量の特定処理を、制御部１０が行う構成としてもよい。
【００３０】
次に、設定温度受付部１２ａによる設定温度の特定方法及び設定風量受付部１２ｂによる設定風量の特定方法について説明する。図３は、実施形態１の操作装置１に対する操作方法の例を示す模式図である。
図３Ａには、エアコン２に対して温度設定を行う際の操作方法の例を示す。図３Ａの左図に示すように現在の設定温度が２５．０℃の場合、ユーザは、設定温度受付部１２ａ（内側円弧領域）において「２５」の位置付近に指を接触させ、所望の温度に対応する位置まで、内側円弧領域に沿って時計回り又は反時計回りに移動操作を行う。なお、ユーザは、温度を上げたい場合は時計回りの移動操作を行い、温度を下げたい場合は反時計回りの移動操作を行う。
【００３１】
設定温度受付部１２ａは、内側円弧領域における検知領域に対する操作位置の算出を所定時間間隔で行っており、順次算出する操作位置に基づいて設定温度を特定する。なお、検知領域における「２５」の位置に対する接触操作が行われた場合、設定温度受付部１２ａは、接触操作からの移動操作における現在の操作位置に対応する温度を設定温度に特定する。具体的には、「Ｌｏ」が１８．０℃に対応する位置とし、「Ｈｉ」が３２．０℃に対応する位置とし、現在の操作位置から「Ｌｏ」又は「Ｈｉ」までの距離に応じた設定温度を特定する。即ち、設定温度受付部１２ａを介して１８℃から３２℃までの温度の設定が可能である。
【００３２】
設定温度受付部１２ａは、特定した設定温度を制御部１０に送出し、制御部１０は、設定温度受付部１２ａから取得した設定温度に基づいて設定温度表示部１３ａを制御し、設定温度を表示させる。設定温度受付部１２ａは、内側円弧領域に対してユーザの移動操作が行われている間、ユーザの操作位置の検知処理及び設定温度の特定処理を逐次行うので、ユーザの操作位置に応じた設定温度が適宜変更されて設定温度表示部１３ａに表示される。これにより、ユーザは、自身の操作に基づく現在の設定温度を確認でき、所望の設定温度となった場合に移動操作を終了すればよいので操作性がよい。また、内側円弧領域において「Ｌｏ」又は「Ｈｉ」からの距離に応じた温度が設定温度となるので、ユーザの直感的な操作が可能となる。
【００３３】
設定温度受付部１２ａは、ユーザの移動操作が終了した（ユーザの指が検知領域から離れた）ことを検知した場合、ユーザの操作終了を制御部１０に通知する。ユーザの操作終了を通知された場合、制御部１０は、直前に設定温度受付部１２ａから取得していた設定温度（設定温度表示部１３ａに表示中の設定温度）を、エアコン２に対する設定温度として受け付ける。そして制御部１０は、受け付けた設定温度での動作指示を通信部１４からエアコン２へ送信する。なお、制御部１０は、エアコン２に対する動作指示をＥＣＵ３へ送信し、ＥＣＵ３が、受信した動作指示をエアコン２へ送信することによりエアコン２を制御する。また、制御部１０は、受け付けた設定温度をＥＣＵ３へ送信し、ＥＣＵ３が、受信した設定温度での動作指示を生成してエアコン２へ送信する構成でもよい。なお、操作装置１から出力されるエアコン２に対する動作指示は、ＥＣＵ３を介してエアコン２へ送信される構成のほかに、操作装置１から直接エアコン２へ送信される構成でもよい。図３Ａの左図中の矢符で示すように２７．５℃に対応する位置まで移動操作が行われた場合、制御部１０は、設定温度２７．５℃での動作指示をエアコン２へ送信する。エアコン２は、操作装置１から取得した動作指示に従った動作を行う。
【００３４】
図３Ｂには、エアコン２に対して風量設定を行う際の操作方法の例を示す。図３Ｂの左図に示すように現在の設定風量が第２段階の場合、ユーザは、設定風量受付部１２ｂ（外側円弧領域）において、点灯中の光源に対応する位置（点灯中の光源の前面側の位置）の付近に指を接触させ、所望の風量に対応する位置まで、外側円弧領域に沿って時計回り又は反時計回りに移動操作を行う。なお、ユーザは、風量を強めたい場合は時計回りの移動操作を行い、風量を弱めたい場合は反時計回りの移動操作を行う。
【００３５】
設定風量受付部１２ｂは、外側円弧領域における検知領域に対する操作位置の算出を所定時間間隔で行っており、順次算出する操作位置に基づいて設定風量を特定する。なお、検知領域において点灯中の光源に対応する位置に対する接触操作が行われた場合、設定風量受付部１２ｂは、接触操作からの移動操作における現在の操作位置に対応する風量を設定風量に特定する。具体的には、現在の操作位置を含む分割領域に応じた風量を特定する。図３Ｂの左図中の矢符で示す移動操作が行われた場合、第４段階の風量が設定風量に特定される。
【００３６】
設定風量受付部１２ｂは、特定した設定風量を制御部１０に送出し、制御部１０は、設定風量受付部１２ｂから取得した設定風量に基づいて設定風量表示部１３ｂを制御し、設定風量を表示させる。なお、設定風量表示部１３ｂは、表示すべき設定風量に対応する光源を点灯させる。設定風量受付部１２ｂは、外側円弧領域に対してユーザの移動操作が行われている間、ユーザの操作位置の検知処理及び設定風量の特定処理を逐次行うので、ユーザの操作位置に応じた設定風量が適宜変更されて設定風量表示部１３ｂに表示される。これにより、ユーザは、自身の操作に基づく現在の設定風量を確認でき、所望の設定風量となった場合に移動操作を終了すればよいので操作性がよい。また、ユーザの操作位置が外側円弧領域における各分割領域を移動する毎に設定風量の段階が変更されるので、ユーザの直感的な操作が可能となる。
【００３７】
設定風量受付部１２ｂは、ユーザの移動操作が終了した（ユーザの指が検知領域から離れた）ことを検知した場合、ユーザの操作終了を制御部１０に通知する。ユーザの操作終了を通知された場合、制御部１０は、直前に設定風量受付部１２ｂから取得していた設定風量（設定風量表示部１３ｂに表示中の設定風量）を、エアコン２に対する設定風量として受け付ける。制御部１０は、受け付けた設定風量での動作指示を通信部１４からエアコン２へ送信する。ここでも、制御部１０は、エアコン２に対する動作指示をＥＣＵ３を介してエアコン２へ送信する。図３Ｂの左図中の矢符で示すように第４段階に対応する位置まで移動操作が行われた場合、制御部１０は、第４段階の風量での動作指示をエアコン２へ送信する。エアコン２は、操作装置１から取得した動作指示に従った動作を行う。なお、設定風量受付部１２ｂは、外側円弧領域に対するユーザの移動操作のほかに、単純な接触操作を検知し、検知した接触操作における操作位置に対応する風量を設定風量として受け付ける構成でもよい。
【００３８】
本実施形態１の操作装置１では、上述したような設定温度受付部１２ａに対する操作に基づく温度設定方法、及び設定風量受付部１２ｂに対する操作に基づく風量設定方法に限らない。図４〜図６は、実施形態１の操作装置１に対する操作方法の他の例を示す模式図である。
図４Ａには、エアコン２に対して温度設定を行う際の操作方法の他の例を示す。図４Ａに示す例では、ユーザが設定温度受付部１２ａ（内側円弧領域）における「Ｈｉ」の位置に対して接触操作を行うことによって、最高温度（例えば３２℃）が設定される。なお、ユーザが設定温度受付部１２ａにおける「Ｌｏ」の位置に対して接触操作を行った場合、最低温度（例えば１８℃）が設定される。
【００３９】
具体的には、設定温度受付部１２ａは、検知領域における「Ｈｉ」（又は「Ｌｏ」）の位置に対する接触操作を検知した場合、最高温度（又は最低温度）を設定温度に特定する。設定温度受付部１２ａは、特定した設定温度と共に、ユーザの操作終了を制御部１０に通知する。制御部１０は、設定温度受付部１２ａから取得した設定温度（ＨＩ又はＬｏ）を設定温度表示部１３ａに表示させると共に、取得した設定温度での動作指示をエアコン２へ送信する。ここでも、制御部１０は、エアコン２に対する動作指示をＥＣＵ３を介してエアコン２へ送信する。図４Ａの左図に示すように「Ｈｉ」の位置に対する接触操作が行われた場合、制御部１０は、設定温度表示部１３ａの表示温度を「ＨＩ」に変更し、設定温度３２℃での動作指示をエアコン２へ送信する。なお、設定温度受付部１２ａにおける「Ｈｉ」又は「Ｌｏ」の位置に対して長押し（例えば２秒程度以上）の接触操作を行うことによって、最高温度又は最低温度が設定される構成としてもよい。
【００４０】
図４Ｂには、エアコン２に対して風量設定を行う際の操作方法の他の例を示す。図４Ｂに示す例では、ユーザが設定風量受付部１２ｂ（外側円弧領域）における「＋」の位置に対して接触操作を１回行う都度、直前の設定風量から１段階強められた風量が設定される。なお、ユーザが設定風量受付部１２ｂにおける「−」の位置に対して接触操作を１回行う都度、直前の設定風量から１段階弱められた風量が設定される。
具体的には、設定風量受付部１２ｂは、検知領域における「＋」（又は「−」）の位置に対する接触操作を検知した場合、直前の設定風量から１段階強い（又は弱い）風量を設定風量に特定する。設定風量受付部１２ｂは、特定した設定風量と共に、ユーザの操作終了を制御部１０に通知する。制御部１０は、設定風量受付部１２ｂから取得した設定風量を設定風量表示部１３ｂに表示させると共に、取得した設定風量での動作指示をエアコン２へ送信する。ここでも、制御部１０は、エアコン２に対する動作指示をＥＣＵ３を介してエアコン２へ送信する。図４Ｂの左図に示すように現在の設定風量が第１段階の風量である状態で「＋」の位置に対する接触操作が１回行われた場合、制御部１０は、設定風量表示部１３ｂの表示風量を第２段階の風量に変更し、第２段階の風量での動作指示をエアコン２へ送信する。
【００４１】
図５Ａには、エアコン２に対して温度設定を行う際の操作方法の他の例を示す。図５Ａに示す例では、ユーザが設定温度受付部１２ａ（内側円弧領域）に対して時計回りの方向（右方向）にフリック操作を１回行う都度、直前の設定温度から所定値（例えば０．５℃）上げられた温度が設定される。なお、ユーザが設定温度受付部１２ａに対して反時計回りの方向（左方向）にフリック操作を１回行う都度、直前の設定温度から所定値（例えば０．５℃）下げられた温度が設定される。
なお、フリック操作とは、ユーザの指が設定温度受付部１２ａ（検知領域）に接触した後に設定温度受付部１２ａの表面を払う（弾く）操作である。
【００４２】
設定温度受付部１２ａは、内側円弧領域における検知領域に対する操作位置の算出を所定時間間隔で行い、算出した操作位置に基づいて、検知領域に対してフリック操作が行われたか否かを検知する。例えば、ユーザの指が検知領域に接触してから離れるまでの時間が所定範囲内の時間（例えば０．５秒以内）であるか否かを判断し、所定範囲内の時間であり、且つ接触位置に変化があれば、フリック操作が行われたと判断する。また設定温度受付部１２ａは、順次算出する操作位置に基づいて、フリック操作に係る操作方向を検知する。
【００４３】
設定温度受付部１２ａは、時計回り（又は反時計回り）へのフリック操作が行われたことを検知した場合、直前の設定温度から所定値（例えば０．５℃）高い（又は低い）温度を設定温度に特定する。設定温度受付部１２ａは、特定した設定温度と共に、ユーザの操作終了を制御部１０に通知する。制御部１０は、設定温度受付部１２ａから取得した設定温度を設定温度表示部１３ａに表示させると共に、取得した設定温度での動作指示をエアコン２へ送信する。ここでも、制御部１０は、エアコン２に対する動作指示をＥＣＵ３を介してエアコン２へ送信する。図５Ａの左図に示すように現在の設定温度が２５℃である状態で時計回りへのフリック操作が１回行われた場合、制御部１０は、設定温度表示部１３ａの表示温度を「２５．５」に変更し、設定温度２５．５℃での動作指示をエアコン２へ送信する。
【００４４】
図５Ｂには、エアコン２に対して風量設定を行う際の操作方法の他の例を示す。図５Ｂに示す例では、ユーザが設定風量受付部１２ｂ（外側円弧領域）に対して時計回りの方向にフリック操作を１回行う都度、直前の設定風量から１段階強められた風量が設定される。なお、ユーザが設定風量受付部１２ｂに対して反時計回りの方向にフリック操作を１回行う都度、直前の設定風量から１段階弱められた風量が設定される。設定風量受付部１２ｂは、外側円弧領域における検知領域に対する操作位置の算出を所定時間間隔で行い、算出した操作位置に基づいて、検知領域に対してフリック操作が行われたか否かを検知する。また設定風量受付部１２ｂは、順次算出する操作位置に基づいて、フリック操作に係る操作方向を検知する。なお、設定風量受付部１２ｂは、設定温度受付部１２ａと同様の処理にて、フリック操作が行われたか否かの判断を行う。
【００４５】
設定風量受付部１２ｂは、時計回り（又は反時計回り）へのフリック操作が行われたことを検知した場合、直前の設定風量から１段階強い（又は弱い）風量を設定風量に特定する。設定風量受付部１２ｂは、特定した設定風量と共に、ユーザの操作終了を制御部１０に通知する。制御部１０は、設定風量受付部１２ｂから取得した設定風量を設定風量表示部１３ｂに表示させると共に、取得した設定風量での動作指示をエアコン２へ送信する。ここでも、制御部１０は、エアコン２に対する動作指示をＥＣＵ３を介してエアコン２へ送信する。図５Ｂの左図に示すように現在の設定風量が第１段階の風量である状態で時計回りへのフリック操作が１回行われた場合、制御部１０は、設定風量表示部１３ｂの表示風量を第２段階の風量に変更し、第２段階の風量での動作指示をエアコン２へ送信する。
【００４６】
図６Ａには、エアコン２に対して温度設定を行う際の操作方法の他の例を示す。図６Ａに示す例では、ユーザが設定温度受付部１２ａ（内側円弧領域）に対して時計回りの方向（右方向）に移動操作を行った場合、直前の設定温度から移動操作に係る移動距離に応じた値が加算された温度が設定される。なお、ユーザが設定温度受付部１２ａに対して反時計回りの方向（左方向）に移動操作を行った場合、直前の設定温度から移動操作に係る移動距離に応じた値が減算された温度が設定される。ここでの移動操作の始点は、内側円弧領域における検知領域内であればどこでもよい。
【００４７】
この場合、設定温度受付部１２ａは、内側円弧領域における検知領域に対する操作位置の算出を所定時間間隔で行い、算出した操作位置に基づいて、移動操作に係る移動方向及び移動距離を算出する。また設定温度受付部１２ａは、算出した移動距離に基づいて設定温度の変更値を特定する。例えば、移動距離が内側円弧領域の「Ｌｏ」の位置から「Ｈｉ」の位置までの最長距離であった場合、設定温度受付部１２ａは変更値を最大値の１４に特定する。また移動距離が最長距離でなかった場合、設定温度受付部１２ａは、最長距離に対する移動距離の比率を最大値の１４に乗算することにより、移動距離に対応する変更値を特定する。そして設定温度受付部１２ａは、移動方向が時計回りである場合、直前の設定温度に、特定した変更値を加算した温度を設定温度に特定し、移動方向が反時計回りである場合、直前の設定温度から、特定した変更値を減算した温度を設定温度に特定する。
【００４８】
設定温度受付部１２ａは、特定した設定温度を制御部１０に送出し、制御部１０は、設定温度受付部１２ａから取得した設定温度を設定温度表示部１３ａに表示させる。設定温度受付部１２ａは、内側円弧領域に対してユーザの移動操作が行われている間上述した処理を繰り返すので、ユーザの操作位置に応じた設定温度が適宜変更されて設定温度表示部１３ａに表示される。これにより、ユーザは、自身の操作に基づく現在の設定温度を確認でき、所望の設定温度となった場合に移動操作を終了すればよいので操作性がよい。また、内側円弧領域に対する移動操作に係る移動方向及び移動距離に応じた温度が設定温度となるので、ユーザの直感的な操作が可能となる。
【００４９】
設定温度受付部１２ａは、ユーザの移動操作が終了したことを検知した場合、ユーザの操作終了を制御部１０に通知する。ユーザの操作終了を通知された場合、制御部１０は、直前に設定温度受付部１２ａから取得していた設定温度を、エアコン２に対する設定温度として受け付け、受け付けた設定温度での動作指示をエアコン２へ送信する。ここでも、制御部１０は、エアコン２に対する動作指示をＥＣＵ３を介してエアコン２へ送信する。図６Ａの左図に示すように現在の設定温度が２５℃である状態で移動距離が変更値５℃に対応する移動操作が行われた場合、制御部１０は、設定温度３０．０℃での動作指示をエアコン２へ送信する。
【００５０】
図６Ｂには、エアコン２に対して風量設定を行う際の操作方法の他の例を示す。図６Ｂに示す例では、ユーザが設定風量受付部１２ｂ（外側円弧領域）に対して時計回りの方向に移動操作を行った場合、直前の設定風量から移動操作に係る移動距離に応じて強められた風量が設定される。なお、ユーザが設定風量受付部１２ｂに対して反時計回りの方向に移動操作を行った場合、直前の設定風量から移動操作に係る移動距離に応じて弱められた風量が設定される。ここでの移動操作の始点は、外側円弧領域における検知領域内であればどこでもよい。
【００５１】
具体的には、設定風量受付部１２ｂは、外側円弧領域における検知領域に対する操作位置の算出を所定時間間隔で行い、算出した操作位置に基づいて、移動操作に係る移動方向及び移動距離を算出する。また設定風量受付部１２ｂは、算出した移動距離に基づいて設定風量の変更値（変更段階）を特定する。例えば、外側円弧領域における各分割領域において、移動操作によって操作された分割領域の数を変更段階に特定する。例えば図６Ｂの左図に示すように、２つの分割領域に亘る移動操作が行われた場合、変更段階を２段階に特定する。そして設定風量受付部１２ｂは、移動方向が時計回りである場合、直前の設定風量から、特定した変更段階強い風量を設定風量に特定し、移動方向が反時計回りである場合、直前の設定風量から、特定した変更段階弱い風量を設定風量に特定する。
【００５２】
設定風量受付部１２ｂは、特定した設定風量を制御部１０に送出し、制御部１０は、設定風量受付部１２ｂから取得した設定温度を設定風量表示部１３ｂに表示させる。設定風量受付部１２ｂは、外側円弧領域に対してユーザの移動操作が行われている間上述した処理を繰り返すので、ユーザの操作位置に応じた設定風量が適宜変更されて設定風量表示部１３ｂに表示される。これにより、ユーザは、自身の操作に基づく現在の設定風量を確認でき、所望の設定風量となった場合に移動操作を終了すればよいので操作性がよい。また、外側円弧領域に対する移動操作に係る移動方向及び移動距離に応じた風量が設定風量となるので、ユーザの直感的な操作が可能となる。
【００５３】
設定風量受付部１２ｂは、ユーザの移動操作が終了したことを検知した場合、ユーザの操作終了を制御部１０に通知する。ユーザの操作終了を通知された場合、制御部１０は、直前に設定風量受付部１２ｂから取得していた設定風量を、エアコン２に対する設定風量として受け付ける。そして制御部１０は、受け付けた設定風量での動作指示をエアコン２へ送信する。ここでも、制御部１０は、エアコン２に対する動作指示をＥＣＵ３を介してエアコン２へ送信する。図６Ｂの左図に示すように現在の設定風量が第１段階の風量である状態で移動距離が分割領域２つ分の時計回りへの移動操作が行われた場合、制御部１０は、第３段階の風量での動作指示をエアコン２へ送信する。
【００５４】
以下に、本実施形態１の操作装置１が行う処理についてフローチャートに基づいて説明する。図７は、実施形態１の操作装置１が行う処理の手順を示すフローチャートである。
操作装置１において、操作部１２の設定温度受付部１２ａは、内側円弧領域における検知領域に対するユーザの操作（温度設定操作）が開始されたか否かを判断している（Ｓ１）。温度設定操作が開始されたと判断した場合（Ｓ１：ＹＥＳ）、設定温度受付部１２ａは、検知領域（内側円弧領域）に対するユーザの操作位置を算出し（Ｓ２）、算出した操作位置に応じた設定温度を特定する（Ｓ３）。
【００５５】
設定温度受付部１２ａは、例えば図３Ａに基づいて説明したように、検知領域に対するユーザの移動操作における現在の操作位置に対応する温度を設定温度に特定する。なお、設定温度受付部１２ａは、図４Ａ、図５Ａ又は図６Ａに基づいて説明した方法（処理）により、検知領域に対するユーザの各種操作に応じた設定温度を特定してもよい。また設定温度受付部１２ａは、上述した処理をユーザの操作の種類に応じて切り替えることにより、検知領域に対するユーザの操作内容に応じた設定温度を特定してもよい。
【００５６】
設定温度受付部１２ａが設定温度を特定した場合、制御部１０は、特定された設定温度を設定温度表示部１３ａにて表示し（Ｓ４）、設定温度受付部１２ａは、検知領域（内側円弧領域）に対するユーザの温度設定操作が終了したか否かを判断する（Ｓ５）。温度設定操作が終了していないと判断した場合（Ｓ５：ＮＯ）、操作装置１はステップＳ２に処理を戻し、設定温度受付部１２ａによる操作位置の算出処理及び設定温度の特定処理を繰り返す。なお、設定温度受付部１２ａは、検知領域に対するユーザの操作位置の算出処理を所定時間毎に行っており、操作位置を算出する都度、算出した操作位置に応じた設定温度の特定処理を行う。設定温度受付部１２ａにて温度設定操作が終了したと判断された場合（Ｓ５：ＹＥＳ）、制御部１０は、直前に設定温度受付部１２ａにて特定された設定温度での動作指示を通信部１４からエアコン２へ送信し（Ｓ６）、処理を終了する。なお、具体的には、制御部１０は、エアコン２に対する動作指示をＥＣＵ３へ送信し、ＥＣＵ３が、受信した動作指示に従ってエアコン２を制御する。
【００５７】
ステップＳ１で温度設定操作が開始されていないと判断した場合（Ｓ１：ＮＯ）、操作部１２の設定風量受付部１２ｂは、外側円弧領域における検知領域に対するユーザの操作（風量設定操作）が開始されたか否かを判断する（Ｓ７）。風量設定操作が開始されていないと判断した場合（Ｓ７：ＮＯ）、操作装置１はステップＳ１に処理を戻す。風量設定操作が開始されたと判断した場合（Ｓ７：ＹＥＳ）、設定風量受付部１２ｂは、検知領域（外側円弧領域）に対するユーザの操作位置を算出し（Ｓ８）、算出した操作位置に応じた設定風量を特定する（Ｓ９）。
【００５８】
設定風量受付部１２ｂは、例えば図３Ｂに基づいて説明したように、検知領域に対するユーザの移動操作における現在の操作位置に対応する風量を設定風量に特定する。なお、設定風量受付部１２ｂは、図４Ｂ、図５Ｂ又は図６Ｂに基づいて説明した方法（処理）により、検知領域に対するユーザの各種操作に応じた設定風量を特定してもよい。また設定風量受付部１２ｂは、上述した処理をユーザの操作の種類に応じて切り替えることにより、検知領域に対するユーザの操作内容に応じた設定風量を特定してもよい。
【００５９】
設定風量受付部１２ｂが設定風量を特定した場合、制御部１０は、特定された設定風量を設定風量表示部１３ｂにて表示し（Ｓ１０）、設定風量受付部１２ｂは、検知領域（外側円弧領域）に対するユーザの風量設定操作が終了したか否かを判断する（Ｓ１１）。風量設定操作が終了していないと判断した場合（Ｓ１１：ＮＯ）、操作装置１はステップＳ８に処理を戻し、設定風量受付部１２ｂによる操作位置の算出処理及び設定風量の特定処理を繰り返す。なお、設定風量受付部１２ｂは、検知領域に対するユーザの操作位置の算出処理を所定時間毎に行っており、操作位置を算出する都度、算出した操作位置に応じた設定風量の特定処理を行う。設定風量受付部１２ｂにて風量設定操作が終了したと判断された場合（Ｓ１１：ＹＥＳ）、制御部１０は、直前に設定風量受付部１２ｂにて特定された設定風量での動作指示を通信部１４からエアコン２へ送信し（Ｓ１２）、処理を終了する。
【００６０】
本実施形態１の操作装置１の操作部１２では、同心円状に設けられた円形領域及び内側円弧領域にそれぞれ設定温度表示部１３ａ及び設定温度受付部１２ａが設けてある。よって、ユーザは設定温度表示部１３ａに表示された現在の設定温度を確認しつつ設定温度受付部１２ａを操作できるので、操作性がよい。また、設定風量表示部１３ｂ及び設定風量受付部１２ｂが一体的に外側円弧領域に設けてある。よって、ユーザは設定風量表示部１３ｂに表示された現在の設定風量を確認しつつ設定風量受付部１２ｂを操作できるので、直感的な操作が可能であり、操作性がよい。
【００６１】
本実施形態１の操作装置１では、内側円弧領域及び外側円弧領域にそれぞれ設定温度受付部１２ａ及び設定風量受付部１２ｂを設けて１つの操作スイッチが構成してある。よって、１つの操作スイッチを用いてエアコン２に対する温度設定及び風量設定を行うことができ、操作スイッチの数の削減が可能である。なお、エアコン２に対する温度設定及び風量設定だけでなく、３つ以上の設定項目に対する設定を１つの操作スイッチを用いて行えるように構成してもよい。
なお、操作スイッチの数が削減されることにより、ユーザが操作すべき操作スイッチを探し出す際の負担を軽減できる。このように、本実施形態１の操作装置１は、ユーザが操作すべき操作スイッチを容易に探し出せると共に操作し易いので、ユーザは操作スイッチ（操作部１２）を注視する必要がなく安全性を確保できる。
【００６２】
本実施形態１の操作装置１の表示部１３は、円形領域に設定温度のみを表示する構成であったが、これに限らず、複数の設定項目に対する設定値が円形領域に表示される構成としてもよい。
【００６３】
次に、本実施形態１の操作装置１において、設定温度受付部１２ａに対する操作に基づく設定温度の更に異なる特定方法について説明する。図８は、実施形態１の操作装置１に対する操作方法の更に他の例を示す模式図である。
図８Ａに示す例では、図２に示した設定温度受付部１２ａにおいて、内側円弧領域内の上位置に付けられた目印「２５」の代わりに星マークが付けられている。ユーザが設定温度受付部１２ａ（内側円弧領域）における星マークに対して接触操作を行った場合、予め登録されているお気に入り温度が設定温度に設定される。なお、例えば、所望の温度が設定されている状態でユーザが星マークを長押し操作（例えば２秒程度以上の接触操作）した場合に、制御部１０が、この時点での設定温度をお気に入り温度として記憶部１１に記憶（登録）する。
【００６４】
このような構成では、設定温度受付部１２ａは、検知領域における星マークに対する接触操作を検知した場合、予め記憶部１１に記憶してあるお気に入り温度を設定温度に特定する。設定温度受付部１２ａは、特定した設定温度と共にユーザの操作終了を制御部１０に通知する。制御部１０は、設定温度受付部１２ａから取得した設定温度（お気に入り温度）を設定温度表示部１３ａに表示させると共に、取得した設定温度での動作指示をエアコン２へ送信する。図８Ａに示す例ではお気に入り温度として２８℃が設定されており、現在の設定温度が２５℃である状態で星マークに対する接触操作が行われた場合、制御部１０は、設定温度表示部１３ａの表示温度をお気に入り温度（２８．０℃）に変更し、お気に入り温度での動作指示をエアコン２へ送信する。
【００６５】
図８Ｂには、設定風量受付部１２ｂ及び設定風量表示部１３ｂと同様に、設定温度受付部１２ａ及び設定温度表示部１３ａが一体的に内側円弧領域に設けられた構成を示す。図８Ｂに示す例では、設定温度表示部１３ａは、設定風量表示部１３ｂと同様の方法にて、設定温度受付部１２ａを介して設定された温度を表示する。このような構成においても、ユーザが温度設定を行う際に設定温度受付部１２ａを見つけ易く、直感的な操作が可能である。
なおこのとき、図８Ｂに示すように、中央の円形領域に、エアコン２の電源をオフするためのＯＦＦボタン、エアコン２の自動制御を指示するためのＡＵＴＯボタン等の操作スイッチが設けてあってもよい。
【００６６】
本実施形態１の操作装置１では、設定温度受付部１２ａ及び設定風量受付部１２ｂは、タッチセンサにて検知領域に対するユーザの接触操作及び移動操作等を検知する構成であった。このほかに、例えば設定温度受付部１２ａ及び設定風量受付部１２ｂに近接センサを設け、近接センサにて検知領域に対するユーザの近接操作を検知する構成でもよい。なお近接操作とは、ユーザの指等が検知領域の表面から所定距離以内の位置まで近づく操作である。
【００６７】
（実施形態２）
以下に、実施形態２の操作装置について説明する。本実施形態２の操作装置は、上述の実施形態１の操作装置１と同様の構成を有するので、同様の構成については同一の符号を付して説明を省略する。なお、本実施形態２の操作装置１は、操作部１２及び表示部１３の外観が、上述の実施形態１の操作装置１と異なるので、操作部１２及び表示部１３の外観についてのみ説明する。
【００６８】
図９は、実施形態２の操作部１２及び表示部１３の外観を示す模式図である。上述の実施形態１の操作装置１では、設定温度表示部１３ａ、設定温度受付部１２ａ、設定風量受付部１２ｂ及び設定風量表示部１３ｂが１つの操作スイッチで構成されていた。本実施形態２の操作装置１では、設定温度表示部１３ａ及び設定温度受付部１２ａが１つの温度用操作スイッチで構成され、設定風量表示部１３ｂ及び設定風量受付部１２ｂが１つの風量用操作スイッチで構成されている。なお、設定温度受付部１２ａ、設定風量受付部１２ｂ、設定温度表示部１３ａ及び設定風量表示部１３ｂが行う処理は、上述の実施形態１と同様である。
【００６９】
図９Ａには、左から順に温度用操作スイッチ及び風量用操作スイッチが設けられた構成を示す。温度用操作スイッチでは、同心円状の２つの円において中央の円形領域に設定温度表示部１３ａが設けてあり、外側の円弧領域に設定温度受付部１２ａが設けてある。また風量用操作スイッチでは、同心円状の外側の円弧領域に設定風量表示部１３ｂ及び設定風量受付部１２ｂが一体的に設けてある。なお、風量用操作スイッチにおいて、中央の円形領域には、エアコン２の電源をオフするためのＯＦＦボタン、エアコン２の自動制御を指示するためのＡＵＴＯボタンが設けてある。
【００７０】
また、エアコン２に対する温度設定が、運転席側及び助手席側（PASSENGER）で各別に行える構成である場合、図９Ｂに示すように３つの操作スイッチを備える構成としてもよい。図９Ｂには、左から順に助手席側温度用操作スイッチ、風量用操作スイッチ、及び運転席側温度用操作スイッチが設けられた構成を示す。なお、助手席側温度用操作スイッチ及び運転席側温度用スイッチは同一の構成である。
上述したように、温度用操作スイッチ及び風量用操作スイッチを各別に設けた場合であっても、温度用操作スイッチ及び風量用操作スイッチのそれぞれにおいて、直感的な操作が可能であり、操作性がよいという効果が得られる。
【００７１】
上述の実施形態１，２の操作装置１は、車輌に搭載されたエアコン２に対する操作を受け付けるものであったが、これに限るものではなく、その他の種々の機器に対する操作を受け付ける操作装置に適用することができる。例えば、車輌に搭載されたカーナビゲーション装置、オーディオ機器等の機器に対する操作を受け付ける操作装置に本発明の構成を適用することができる。また、本発明の構成は、車輌以外の場所に設置された機器に対する操作を受け付ける操作装置にも適用できる。
【００７２】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７３】
１  操作装置
２  エアコン
１０  制御部（表示制御部）
１２  操作部
１３  表示部
１２ａ  設定温度受付部（検知部、特定部）
１２ｂ  設定風量受付部（検知部、特定部）
１３ａ  設定温度表示部（表示部）
１３ｂ  設定風量表示部（表示部）
【図１】
2015182499.tif 000003
【図２】
2015182499.tif 000004
【図３】
2015182499.tif 000005
【図４】
2015182499.tif 000006
【図５】
2015182499.tif 000007
【図６】
2015182499.tif 000008
【図７】
2015182499.tif 000009
【図８】
2015182499.tif 000010
【図９】
2015182499.tif 000011